(57)【要約】【課題】育毛効果を一段と高めようとする。【解決手段】育毛プローブ８から、被施術対象５２に存在する軟毛化した毛５０の毛孔５１及びその周辺に対して育毛液剤５３を噴射させると共に、イオン浸透電流Ｉを通電させることにより、軟毛化した毛５０それぞれに対して育毛液剤５３を浸透させることができ、これにより軟毛化した毛５０の育毛効果を一段と高めることができる。【選択図】図７
2009233109.tif 000002
【特許請求の範囲】
【請求項１】
育毛プローブの先端から、育毛液剤を被施術対象に噴射すると共に、育毛プローブにイオン浸透電流を流すことで、上記被施術対象上に存在する軟毛化した毛の毛孔及びその周辺に噴射した上記育毛液剤の有効成分を、上記毛孔及びその周辺の皮膚組織にイオン浸透させる
ことを特徴とする育毛施術方法。
【請求項２】
上記育毛プローブの先端から、上記被施術対象上に存在する上記軟毛化した毛の毛孔及びその周辺に上記育毛液剤を噴射した後、当該育毛液剤に上記イオン浸透電流を通電する
ことを特徴とする請求項１に記載の育毛施術方法。
【請求項３】
上記育毛プローブの先端から、上記被施術対象上に存在する上記軟毛化した毛の毛孔及びその周辺に上記育毛施術液剤を噴射すると同時に、上記イオン浸透電流を通電する
ことを特徴とする請求項１に記載の育毛施術方法。
【請求項４】
先端に、育毛液剤を噴射する噴射口及びイオン浸透電流を通電する通電子を有する育毛プローブと、
上記噴射口に上記育毛液剤を供給する育毛液剤供給手段と、
上記通電子にイオン浸透電流を供給するイオン浸透電流供給手段と、
施術者の操作に応じて、上記育毛液剤供給手段及び上記イオン浸透電流供給手段を動作させる制御手段と
を具えることを特徴とする育毛装置。
【発明の詳細な説明】
【技術分野】
【０００１】
本発明は育毛施術方法及び育毛装置に関し、特に被施術対象に効率よく育毛剤の有効成分を浸透させようとするものである。
【背景技術】
【０００２】
従来の育毛施術手法として、育毛剤を毛根に浸透させる手法として、例えば特許文献１に記載のように、ヘアキャップ型の育毛剤供給機構において、気圧を利用してヘアキャップ内に育毛剤を導入すると共に、毛孔の毛細管現象を利用してその奥まで育毛剤を浸透させようとする手法のものを初めとして、櫛型のものやグローブ型のものなど種々のものが提案されている。
【特許文献１】特開２００６−１６７２１５公報
【発明の開示】
【発明が解決しようとする課題】
【０００３】
ところが従来の手法のものは、育毛施術対象となる体の部位、例えば頭部にある毛孔全体を対象として育毛剤を浸透させようとするもので、実際上１本１本の毛の毛孔に対する育毛剤の浸透の点において、有効性が十分であるとはいい得ない。
【０００４】
本発明は以上の点を考慮してなされたもので、育毛しようとする毛の毛孔個々について、育毛剤の有効成分を確実に浸透させ得るようにしようとするものである。
【課題を解決するための手段】
【０００５】
かかる課題を解決するため本発明においては、育毛プローブ８の先端から、育毛液剤５３を被施術対象５２に噴射すると共に、当該噴射した育毛液剤５３にイオン浸透電流Ｉを通電することにより、被施術対象５２上に存在する軟毛化した毛５０の毛孔５１及びその周辺に噴射した育毛液剤５３の有効成分を、毛孔５１及びその周辺の皮膚組織にイオン浸透させるようにする。
【発明の効果】
【０００６】
本発明によれば、育毛プローブから、被施術対象に存在する軟毛化した毛の毛孔及びその周辺に対して育毛液剤を噴射させると共に、イオン浸透電流を通電させることにより、軟毛化した毛それぞれに対して育毛液剤の有効成分を浸透させることができ、これにより軟毛化した毛の育毛効果を一段と高めることができる。
【発明を実施するための最良の形態】
【０００７】
以下図面について、本発明による育毛施術方法及び育毛装置の一実施の形態を詳述する。
【０００８】
（１）育毛装置の構成
図１において、１は全体として育毛装置を示し、育毛装置本体２の育毛プローブ部接続端子３に対して可撓性接続管４を介して育毛プローブ部５が接続されている。
【０００９】
育毛装置本体２は液剤搬送ポンプ１１を有し、液剤タンク接続端子１２に接続された液剤タンク１３から導入した液剤を液剤送出チューブ１３を介して可撓性接続管４に送出する。
【００１０】
可撓性接続管４は図２（Ａ）に示すように、育毛プローブ部５を構成するプローブホルダ６から導出された液剤搬送チューブ４Ａ及びケーブル４Ｂを有し、液剤搬送チューブ４Ａの先端に設けられたチューブコネクタ４Ｃが育毛プローブ部接続端子３のチューブ接続端子３Ａに接続されていることにより、液剤搬送ポンプ１１から液剤送出チューブ１３を介して送出された液剤が液剤搬送チューブ４Ａを介して育毛プローブ部５に搬送される。
【００１１】
この実施の形態の場合、液剤搬送ポンプ１１は、液剤タンク１３から液剤を吸引し所定量（例えば０．１〔ｍｌ〕）ずつ噴射し、これにより生成された噴射状液剤を間欠的又は連続的に液剤送出チューブ１３に送出する。
【００１２】
育毛プローブ部５はプローブホルダ６及びキャップ部材７を有し、プローブホルダ６の先端に形成されたキャップ部材７に、図３に示す育毛プローブ８が差込保持される。
【００１３】
育毛プローブ８は、図３（Ｂ）に示すように、円筒状導電性材料によって構成され、その中心線上に液剤搬送通路２１が形成され、これにより育毛プローブ８の根元側がプローブホルダ６のキャップ部材７に差込まれたとき、図４（Ａ）に示すように、液剤搬送チューブ４Ａと連通する接続部材４２に連結され、これにより液剤搬送チューブ４Ａを通って搬送されて来る液剤が育毛プローブ８に供給される。
【００１４】
育毛プローブ８の先端には外径及び内径が細く絞られた噴射口部材２２が形成されており、これにより液剤搬送通路２１に搬送されてきた液剤を、当該噴射口部材２２から被施術対象の比較的狭い範囲（すなわち、毛孔及びその周辺）に、間欠的又は連続的に、放出できるようになされている。
【００１５】
これと共に、導電性材料でなる細く絞られた噴射口部材２２によって、毛孔及びその周辺程度の狭い範囲に、育毛プローブ８が電気的に接触できるようになされている。
【００１６】
以上の構成に加えて育毛装置本体２には直流電源でなるイオン浸透用電源２５が設けられ、その接地側配線２６が育毛装置本体２の対極導子接続端子２７に導出され、当該対極導子接続端子２７に対極導子２８のケーブル２９が接続されたとき、対極導子２８を手で握った被施術者の電位が接地側配線２６を介してイオン浸透用電源２５に接続されるようになっている。
【００１７】
イオン浸透用電源２５の非接地側配線３１は、育毛プローブ部接続端子３のケーブル接続端子３Ｂに導出され、この育毛プローブ部接続端子３に可撓性接続管４が接続されたとき、図２（Ａ）に示すように、プローブホルダ６から延長するケーブル４Ｂの先端に設けられた接続クリップ４Ｄを介してプローブホルダ６にイオン浸透電流を供給するようになされている。
【００１８】
かくして、育毛プローブ８（図３（Ｂ））の液剤搬送通路２１の周囲の部材は導電性材料で構成されていることにより、その先端部に形成された噴射口部材２２がイオン浸透電流を流す通電子を形成している。
【００１９】
これにより、イオン浸透用電源２５は、被施術者が対極導子２８を手で握った状態において、育毛プローブ８の噴射口部材２２が被施術者の毛孔及びその周辺の液剤に接触したとき、当該被施術者の体を通ってイオン浸透電流を流す電気的回路が形成される。
【００２０】
施術者がフットスイッチでなる動作スイッチ３６を踏込み操作することにより制御信号端子３４から動作制御信号が与えられたとき、中央制御ユニット３５は、育毛施術条件入力部３７によって設定された設定条件に応じて育毛装置本体２の液剤搬送ポンプ１１及びイオン浸透用電源２５を駆動制御し、これにより図５及び図６に示す育毛施術処理手順ＲＴ０を実行できるようになされている。
【００２１】
この実施の形態の場合、育毛プローブ部５のプローブホルダ６は、図４（Ａ）に示すように、絶縁性合成樹脂材料でなるホルダ本体４１の内部空間４１Ｘの先端に、導電性接続部材４２をそのねじ部４３によってねじ込み保持した構成を有する。
【００２２】
ホルダ本体４１の内部空間４１Ｘには、根元側から液剤搬送チューブ４Ａ及びケーブル４Ｂが引込まれ、ケーブル４Ｂの先端が接続部材４２に電気的に接続されていると共に、液剤搬送チューブ４Ａの先端部が接続部材４２の後端部４４に差込み保持されている。
【００２３】
接続部材４２には、その中心線に沿うように液剤通路４５が先後端部を貫通するよう穿設されており、これにより液剤搬送チューブ４Ａを通って搬送されてきた液剤を液剤通路４５を通って接続部材４２の先端側に導出するようになされている。
【００２４】
接続部材４２の先端側位置にはキャップ締付ねじ４６が形成され、当該キャップ締付ねじ４６に対して先端側からキャップ部材７を締付保持できるようになされている。
【００２５】
接続部材４２の先端部には円筒板状プローブ取付筒体部４７が形成され、図４（Ｂ）に示すように、接続部材４２のキャップ締付ねじ４６に対するキャップ部材７の締付を緩めた状態において、キャップ部材７の先端側に設けられた透孔７Ａを通して育毛プローブ８を差込むことができるようになされている。
【００２６】
プローブ取付筒体部４７には先端側から割り溝４８が形成され、これによりプローブ取付筒体部４７に対する育毛プローブ８の差込を容易にできるようにすると共に、図４（Ｃ）に示すように、キャップ部材７を接続部材４２のキャップ締付ねじ４６に十分に締付けたとき、プローブ取付筒体部４７がキャップ部材７の締付動作によって割り溝４８を狭めるようにプローブ取付筒体部４７を育毛プローブ８の方向に内側に押圧することにより、育毛プローブ８をプローブ取付筒体部４７に機械的かつ電気的に一体に締付保持するようになされている。
【００２７】
かくして図４（Ｃ）に示すように、プローブホルダ６の先端に育毛プローブ８を取付保持した状態において、育毛プローブ部５は液剤搬送チューブ４Ａによって搬送されてくる液剤を育毛プローブ８の液剤搬送通路２１（図３（Ｂ））を通って噴射口部材２２から先端方向に噴射すると共に、当該施術部位に噴射した液剤に育毛プローブ８の噴射口部材２２を接触させることにより、ケーブル４Ｂを通じて流れるイオン浸透電流を接続部材４２、育毛プローブ８の噴射口部材２２を通じて流すことができるようになされている。
【００２８】
（２）育毛施術処理手順
育毛施術は、図５に示す育毛施術処理手順ＲＴ０に従って行われる。
【００２９】
まずステップＳＰ１において、施術者はプローブホルダ６に育毛プローブ８を装着する。
【００３０】
このとき被施術者は、図４（Ａ）に示すようにプローブホルダ６に対するキャップ部材７の締付を緩めた状態において、図４（Ｂ）に示すようにキャップ部材７の透孔７Ａから育毛プローブ７を差込んだ後、図４（Ｃ）に示すように育毛プローブ８をプローブホルダ６にしっかりと締付ける。
【００３１】
続いて施術者は、ステップＳＰ２において、液剤タンク１３に頭皮の状態に合わせて選択した液剤を注入する。
【００３２】
続いて施術者は、ステップＳＰ３において育毛施術条件入力部３７から制御ユニット３５に対して育毛施術条件を入力する。
【００３３】
この実施の形態の場合、施術者は、通電電流値手段３７Ａによって、イオン浸透電流値として、０．１〜０．５〔ｍＡ〕の間の電流値のうちから、例えば０．２〔ｍＡ〕を設定する。
【００３４】
また通電極性手段３７Ｂによって、育毛プローブ部５から供給できる直流極性を、使用する液剤のイオン化極性に応じて「+」又は「−」のうちから、例えば「+」に設定する。
【００３５】
また通電時間手段３７Ｃによって、イオン浸透電流の通電電流時間として、３〜１０〔秒〕のうちから、例えば５〔秒〕を設定する。
【００３６】
また液剤ショット数手段３７Ｄによって、1回のスイッチ操作によって育毛プローブ４の噴射口部材２２から噴射する液剤の噴射回数として１〜９９〔発〕又は連続のうちから、例えば１０〔発〕を設定する。
【００３７】
かくして施術者は、フットスイッチでなる動作スイッチ３６を１回操作したとき、育毛プローブ８の噴射口部材２２から１〔発〕約０．１〔ｍｌ〕の液剤を１０〔発〕分噴射させると共に、当該育毛プローブ８の噴射口部材２２から０．２〔ｍＡ〕の「+」のイオン浸透電流を５〔秒〕間通電させるような育毛施術条件を、中央制御ユニット３５に設定したことになる。
【００３８】
その後施術者は、ステップＳＰ４に移って、被施術者の前頭部から頭頂部にかけて軟毛化した部位を確認し、当該確認した部位に対してステップＳＰ５においてタオルを当ててスチーミングする。
【００３９】
かくして、育毛施術をすべき部位における皮膚の血行が促進されると共に、軟毛化した毛の毛孔の育毛施術準備が整うことになる。
【００４０】
続いて施術者は、ステップＳＰ６において、被施術者に対して対極導子２８を握らせた後、ステップＳＰ７において、育毛施術すべき部位について、前頭部から頭頂部にかけて確認した被施術部位について、櫛で髪の毛を分けることにより、縦１列分の髪の毛の毛孔を露出させる。
【００４１】
この実施の形態の場合、施術者は、図９に示すように、被施術者の頭皮から育毛施術すべき被施術部位６１を確認したとき、育毛施術順序として、所定間隔（例えば５〔ｍｍ〕間隔）で横列６２Ａ、６２Ｂ……６２Ｘを決めると共に、これと交差する縦列６３Ａ、６３Ｂ……６３Ｙを所定間隔（例えば５〔ｍｍ〕間隔）で決めておき、縦１列分ずつ育毛処理することにより、全ての縦列についての育毛処理が終った後、横１列分ずつ育毛処理をする。又は、全ての縦列のみもしくは全ての横列のみ育毛処理をする。
【００４２】
この状態において、施術者は、次のステップＳＰ８において動作スイッチ３６をオン操作すると共にターゲットとする軟毛化した毛の毛孔部及び周辺部に液剤を噴射させることにより施術対象となる１本の毛孔及びその周辺を湿らせる。
【００４３】
実際上このとき、施術者は図７（Ａ）に示すように、育毛プローブ部５の育毛プローブ８を軟毛化した毛５０の毛孔５１が存在する頭皮５２から１〔ｍｍ〕程度上方に育毛プローブ８を構えて、フットスイッチでなる動作スイッチ３６を踏むことにより、当該軟毛化した毛の毛孔５１を目掛けて液剤を噴射する。
【００４４】
このとき育毛プローブ８からは、約０．１〔ｍｌ〕の液剤が１０〔発〕連続して噴射される。
【００４５】
この結果ターゲットとする軟毛化した毛５０の毛孔５１と、その付近の頭皮５２（実験によれば約３〔ｍｍ〕程度の範囲）が液剤５３によって湿らされることになる。
【００４６】
かくして施術対象となる（すなわちターゲットの１本の毛５０の毛孔５１に対して液剤を湿らせた状態が得られる。
【００４７】
続いて施術者は、ステップＳＰ９において、育毛プローブ８の先端を毛孔部に当ててイオン浸透を行った後、動作スイッチ３６をオフ操作（フットスイッチの踏込みをやめる操作）をする。
【００４８】
このステップＳＰ９の操作時、育毛プローブ８の噴射口部材２２が頭皮５２上に湿らされた液剤５３に電気的に接続されることにより、通電子３０として機能し、図７（Ｂ）に示すように、液剤５３を毛孔５１及びその周辺の皮膚組織にイオン浸透されて行き、これにより毛根５４及びその周辺の皮膚組織に育毛効果がある液剤が届けられることになる。
【００４９】
この実施の形態の場合、ステップＳＰ８及びＳＰ９において施術者が動作スイッチ３６をオンオフ操作する際に、中央制御ユニット３５は図８に示すような通電処理を実行する。
【００５０】
図８において、施術者が時点ｔＯＮで図８（Ｂ１）に示すように動作スイッチ３６をオン動作させると、中央制御ユニット３５は所定時間（例えば１〔秒〕）の噴射期間TOの間液剤ショット数手段３７Dで設定されたショット数（例えば１０〔発〕）の液剤を噴射した時点ｔ１において、図８（Ａ１）に示すように、育毛プローブ８から所定の傾斜（例えば立上り時間０．５〔秒〕）で通電電流Ｉを大きくしていく。
【００５１】
やがて当該立上り時間が経過した時点ｔ２において、中央制御ユニット３５は通電電流値手段３７Ａで設定された値（例えば０．２〔ｍＡ〕のイオン浸透電流を通電時間手段３７Ｃにおいて設定した通電時間ＴＳ（例えば５〔秒〕）の間イオン浸透電流を通電する。
【００５２】
やがて通電時間ＴＳが終了した時点ｔ３になると、中央制御ユニット３５はイオン浸透電流の通電を止める。
【００５３】
かくして１回の通電処理が終了したので、施術者が時点ｔＯＦにおいて動作スイッチ３６をオフ操作する（図８（Ｂ１））。
【００５４】
かくして中央制御ユニット３５は、時点ｔ１において通電を開始したとき、一挙に設定電流値まで上昇させずに所定の傾斜で上昇させるようにしたことにより、被施術者に対して通電開始時による違和感を与えないようにできる。
【００５５】
これに対して、図８（Ｂ２）に示すように、通電時間ＴＳが経過する前の時点ｔＯＦＸにおいて施術者が動作スイッチ３６をオフ動作させると、中央制御ユニット３５は図８（Ａ２）に示すように、施術者が動作スイッチ３６をオフ操作した時点ｔＯＦＸにおいて直ちにイオン浸透電流Ｉを通電させない状態に制御する（図８（Ａ２））。
【００５６】
かくして施術者が通電処理の状態を見ながら適切に通電処理を中断できる。
【００５７】
このようにして１本の毛についての育毛施術が終了し、中央制御ユニット３５はステップＳＰ９に続くステップＳＰ１０において縦列１列分の処理が終わったか否かの確認をし、否定結果が得られたとき上述のステップＳＰ８に戻って当該縦列内の次の新たな毛に対する液剤の噴射処理（ステップＳＰ８）及びイオン浸透処理（ステップＳＰ９）を繰り返す。
【００５８】
ステップＳＰ１０において否定結果が得られると、このことは上述のステップＳＰ７において櫛で分けられた１列分の髪の毛の全部についての液剤の噴射及びイオン浸透処理が終了していないことを意味し、このとき施術者は上術のステップＳＰ８に戻って当該縦１列分の軟毛についてステップＳＰ８−ＳＰ９−ＳＰ１０−ＳＰ８のループを繰り返すことにより当該縦１列の残る軟毛について液剤の噴射及びイオン浸透の処理を行う。
【００５９】
やがてステップＳＰ１０において肯定結果が得られると、このことは上述のステップＳＰ７において櫛で分けた縦１列分の髪の毛についての処理が終了したことを意味し、このとき施術者は次のステップＳＰ１１に移って全部の縦列の軟毛についての処理が終わったか否かの判断をする。
【００６０】
ここで否定結果が得られると、このことは、被施術部位６１（図９）について予定した縦列６３Ａ、６３Ｂ……６３Ｙに未だ処理が済んでいない縦列があることを意味し、このとき施術者は上述のステップＳＰ７に戻って被施術部位６１について櫛で新たな（例えば隣の）１列分の髪の毛を分ける操作をした後、当該新たな縦１列分の軟毛についてステップＳＰ８−ＳＰ９−ＳＰ１０−ＳＰ８のループに従って液剤の噴射及びイオン浸透の処理を繰り返すと共に、ステップＳＰ１０において肯定結果が得られたとき、ステップＳＰ１１において肯定結果が得られるまで当該処理を繰り返す。
【００６１】
やがて全部の縦列の軟毛についての処理が終了すると、施術者はステップＳＰ１１においてこれを確認することにより次のステップＳＰ１２（図６）に移る。
【００６２】
このステップＳＰ１２において施術者は、被施術部位６１（図９）について、櫛で横１列分の髪の毛を分ける処理をした後、ステップＳＰ１３の処理に移る。
【００６３】
このステップＳＰ１３の処理は、ステップＳＰ８について上述したと同様に動作スイッチ３６をオン操作して軟毛化した毛の毛孔部及びその周辺部に液剤を１０〔発〕噴射させることにより当該噴射した頭皮部分を湿らせる。
【００６４】
続いて施術者はステップＳＰ１４の処理に移る。
【００６５】
このステップＳＰ１４の処理はステップＳＰ９について図７を用いて上述したと同様に、育毛プローブ８の先端を液剤５３によって浸らされた毛孔５１に当ててイオン浸透を行った後、オフ操作をする。
【００６６】
かくしてこのステップＳＰ１３及びＳＰ１４の処理をすることにより、横列に含まれる軟毛化した１本の毛に対する育毛施術をすることになる。
【００６７】
この処理に続いて施術者は、ステップＳＰ１５に移って横１列分の処理が終わったか否かの確認をし、終わってないとき上述のステップＳＰ１３に戻って当該横１列に含まれる他の毛（例えば隣の毛）についての処理をする。
【００６８】
以下同様にしてステップＳＰ１３−ＳＰ１４−ＳＰ１５−ＳＰ１３のループを通って当該横１列に含まれる軟毛化した毛についての液剤の噴射及びイオン浸透処理を繰り返す。
【００６９】
やがて施術者がステップＳＰ１５において当該横１列分の処理が終了したことを確認すると、次のステップＳＰ１６に移って全部の横列の処理が終わったか否かの確認をし、未だ処理をしていない毛が横列残っていることを確認すると上述のステップＳＰ１２の処理に戻る。
【００７０】
かくして施術者は未だ処理をしていない新たな横１列（例えば隣の横１列）分の髪の毛を分けて当該新たな横１列についてステップＳＰ１３−ＳＰ１４−ＳＰ１５−ＳＰ１３の処理を繰り返し、当該横１列分の処理が終わったとき、再度ステップＳＰ１６における全部の横列が終わったか否かの確認をする。
【００７１】
かくしてステップＳＰ１６において全部の横列の処理が終わったことを確認すると、施術者はステップＳＰ１７において当該育毛施術処理手順ＲＴ０を終了する。
【００７２】
図５及び図６の育毛施術処理手順ＲＴ０によれば、施術者が被施術者の頭部に軟毛化した毛が存在する被施術部位６１（図９）を確認した後、当該被施術部位６１をスチーミングすることによって汚れを取ると共に血行を促進させた後、各軟毛化した毛について１本ずつ液剤の噴射及びイオン浸透処理を行うことにより、各軟毛化した毛についての毛孔及びその周囲の組織に液剤に含まれる育毛成分を効率よく浸透させることができる。
【００７３】
これによりターゲットとなった軟毛化した毛について実効性の良い育毛施術を行うことができる。
【００７４】
（３）第２の実施の形態
図１０は他の実施の形態による育毛施術処理手順ＲＴ１を示す。
【００７５】
育毛施術処理手順ＲＴ１に入ると、施術者は、図５及び図６について上述したと同様に、プローブホルダ６に育毛プローブ８を装着し（ステップＳＰ１）、液剤タンク１３に頭皮の状態に合わせて選択した液剤を注入し（ステップＳＰ２）た後、育毛施術条件入力部３７から中央制御ユニット３５に育毛施術条件を入力する（ステップＳＰ３Ｘ）。
【００７６】
この実施の形態の場合、図５及び図６の場合と同様に、通電電流値手段３７Ａによって通電電流値を０．２〔ｍＡ〕に設定すると共に、通電極性手段３７Ｂによって通電電流の極性を「+」に設定する。
【００７７】
しかしながらこの実施の形態の場合は、図５及び図６の場合とは相違して、通電時間手段３７Ｃによって通電時間を１０〔秒〕に設定すると共に、液剤ショット手段３７Ｄによって噴射ショット回数を９０〜９９〔発〕（例えば９０〔発〕）又は連続に設定する。
【００７８】
この実施の形態の場合、ステップＳＰ３Ｘにおいてかかる育毛施術条件を入力した後、図５及び図６の場合と同様にして、前頭部から頭頂部にかけて軟毛化した部位の確認をし（ステップＳＰ４）、ホットタオルを頭部に当ててスチーミングをし（ステップＳＰ５）、被施術者に対極導子２８を握らせる（ステップＳＰ６）。
【００７９】
かかる処理の後、この実施の形態の場合は、図５及び図６の場合と異なる以下に述べる手法によって液剤の噴射及びイオン浸透処理を行う。
【００８０】
すなわち、図１０の実施の形態の場合、ステップＳＰ６に続いて施術者はステップＳＰ２１において、図１１に示すように、被施術部位７１について、櫛で１ブロック分の髪の毛を分ける。
【００８１】
この実施の形態の場合、施術者は、被施術部位７１について、これを複数の施術ブロック（６４Ａ１、６４Ａ２……６４ＡＮ）、（６４Ｂ１、６４Ｂ２……６４ＢＮ）、……、（６４Ｍ１、６４Ｍ２……６４ＭＮ）の施術ブロックに分ける。
【００８２】
この各施術ブロック６４Ａ１〜６４ＭＮは、１回の液剤の噴射及びイオン浸透処理を行う範囲を特定するもので、施術者はステップＳＰ２１において当該１ブロック分の髪の毛を櫛によって分ける処理を行う。
【００８３】
続いて施術者は、ステップＳＰ２２において、育毛プローブ部５の育毛プローブ８の先端を、当該１ブロック分の領域の頭皮に軽く当てる状態に構えて、ステップＳＰ２３において動作スイッチ３６をオン操作する。
【００８４】
このとき中央制御ユニット３５は、図１２（Ｂ１）に示すように、動作スイッチ３６が時点ＴＯＮにおいてオン動作したとき、噴射・通電期間ＴＯＳに入り、液剤搬送ポンプ１１から液剤搬送チューブ４Ａを介して９０〔発〕分の液剤を育毛プローブ部５に供給することにより、育毛プローブ８から液剤を頭皮に対して噴射し続ける。
【００８５】
これと同時に、中央制御ユニット３５は、イオン浸透用電源２５からケーブル４Ｂを介して育毛プローブ部５にイオン浸透電流を通電することにより、育毛プローブ８の噴射口部材２２から噴射された液剤を介してイオン浸透電流を通電し始める。
【００８６】
このとき施術者は、次のステップＳＰ２４において育毛プローブ８を前後左右に移動させることにより、当該ブロック内の軟毛化した毛について次々と毛孔部及び周辺部に当てて行くことにより、当該毛孔部及び周辺部に液剤を噴射させると同時にイオン浸透処理を行う。
【００８７】
この液剤の噴射及びイオン浸透処理は、１ブロック分の毛について１本ずつ育毛プローブ８を移動させるような処理の仕方によって行う。
【００８８】
この噴射・通電期間ＴＯＳ（図１２）における液剤の噴射及びイオン浸透処理は、噴射・通電期間ＴＯＳの間、中央制御ユニット３５が液剤の噴射及びイオン浸透電流の通電を続けることにより噴射・通電期間ＴＯＳの間続けられる。
【００８９】
やがて時点ｔ１２において噴射・通電期間ＴＯＳが終了すると、育毛プローブ８による液剤の噴射及びイオン導入動作が終了することにより、施術者はステップＳＰ２５において動作スイッチ３６をオフ操作することによって当該１ブロック分の液剤の噴射及びイオン浸透処理を終了する。
【００９０】
続いて施術者は、ステップＳＰ２６において、全部のブロックについての処理が終わったか否かを確認し、終わっていないとき上述のステップＳＰ２１に戻って新たなブロック（例えば隣接するブロック）について櫛で１ブロック分の髪の毛を分ける操作をする処理に戻る。
【００９１】
このとき施術者は、ステップＳＰ２１−ＳＰ２２−ＳＰ２３−ＳＰ２４−ＳＰ２５−ＳＰ２６のループに従って当該新たなブロックについての液剤の噴射及びイオン浸透処理を繰り返す。
【００９２】
このような液剤の噴射及びイオン導入処理は、施術者がステップＳＰ２６において全てのブロックについての処理が終わったことを確認するまで繰り返される。
【００９３】
やがてステップＳＰ２６において施術者が全部のブロックが終わったことを確認すると、ステップＳＰ２７において当該育毛施術処理手順ＲＴ１を終了する。
【００９４】
図１０の育毛施術処理手順によれば、育毛施術をすべき軟毛化した毛について、被施術部位７１を所定の複数のブロックに分けて液剤の噴射と同時にイオン浸透のための通電処理をするようにしたことにより、一段と短い施術時間によって軟毛化した毛に対する育毛施術を行うことができる。
【００９５】
（４）実施例
上述の育毛施術について、以下の育毛剤及び育毛料を適用することにより、育毛効果を実現できる。
【００９６】
（４−１）育毛剤の成分
（Ａ）多価アルコール
（Ｂ）血行促進剤
（Ｃ）毛包賦活剤
（Ｄ）抗炎症剤
（Ｅ）その他（殺菌剤など）
【００９７】
＜多価アルコール＞
グリセリン、プロピレングリコール、１，３−ブチレングリコール、ジプロピレングリコール等
【００９８】
＜血行促進剤＞
塩化カルプロニウム、センブリエキス、ニコチン酸類、ミノキシジル、セファランチン、ビタミンＥ及びその誘導体、トウガラシチンキ、ショウキョウチンキ、トウヒエキス、イチョウエキス、ニンジンエキス、エンメイソウエキス、クジンエキス等
【００９９】
＜毛包賦活剤＞
ペンタデカン酸グリセリド、アデノシン類、感光素３０１、ビオチン、Ｎ−アセチル−Ｌ−メチオニン、アスパラギン酸カリウム、フラバノノール類、６−ベンジルアミノプリン、パントテン酸類、ヒノキチオール、トコフェロール類、Ｄ−パントテニルアルコール、ジアルキルモノアミン誘導体、エストラジオール、プラセンタエキス、ビワ葉エキス、マイカイ花エキス等
【０１００】
＜抗炎症剤＞
β−グリチルレチン酸、グリチルリチン酸及びその誘導体、アズレン、グアイアズレン、塩酸ピリドキシン、アラントイン、甘草エキス、カミツレエキス等
【０１０１】
＜殺菌剤＞
イソプロピルメチルフェノール、ピロクトンオラミン、塩化ベンザルコニウム、ジンクピリチオン、ヒノキチオール、レゾルシン、サリチル酸等
更に低級アルコールを含有させることが好ましい。低級アルコールとしては、メタノール、エタノール、２−プロパノール等が挙げられ、特にエタノールが好ましい。低級アルコールの含有量は、全組成中の３０重量％以上が好ましい。
以上の成分のほかに、通常の育毛剤や毛髪化粧料に用いられる種々の添加成分を、目的に応じて含有させることができる。例えば、保湿剤、可溶化剤、酸化防止剤、キレート剤、清涼剤、抗脂漏剤、防腐剤、塩類、ｐＨ調整剤、香料、色素、紫外線吸収剤を配合することができる。
【０１０２】
（４−２）育毛料組成
β−グリチルレチン酸、D−パントテニルアルコール、センブリエキス、ビワ葉エキス、エイジツエキス、ジオウエキス、無水エタノール、ポリオキシエチレンポリオキシプロピレンデシルテトラデシルエーテル、１、２−ペンタンジオール、１、３−ブチレングリコール、精製水
【０１０３】
（５）他の実施の形態
上述の図５及び図６並びに図１０の育毛施術処理手順ＲＴ０並びにＲＴ１の処理ステップについては、これに限らず、当該育毛処理の前にシャンプー処理によって毛孔、頭皮、毛質の汚れの除去を行ったり、トリートメント処理により毛髪の保護や修繕をしたりするような処理を、前処理として行うことが有効である。
【０１０４】
また当該育毛処理に続いてクールダウン処理をすることにより、育毛施術を受けた頭部の沈静化を図ると共に、頭部マッサージによって仕上げ処理を行うことは、当該育毛処理の実効を高めるために有効である。
【０１０５】
上述の実施の形態においては、通電電流の極性を「+」にした場合について述べたが、当該通電電流の極性は使用する液剤の成分のイオン化極性に応じて、これを「−」極性にしても、上述の場合と全く同様の効果を得ることができる。
【０１０６】
また図５及び図６の実施の形態においては、縦全列分のイオン浸透処理に続いて横全列分のイオン浸透処理を行うようにした（図９）が、これに代え、縦列分又は横列分だけのイオン浸透処理を行うことにより処理時間の短縮を図るようにしても良い。
【０１０７】
さらに、縦全列分又は横全列分のイオン浸透処理を行った後に、図１１について上述したように、毛を施術ブロックに分けて、各施術ブロックについてイオン浸透処理を行うことにより、比較的短い処理時間の間に十分なイオン浸透効果を得るようにしても良い。
【産業上の利用可能性】
【０１０８】
本発明は軟毛化した毛を育毛する場合に利用できる。
【図面の簡単な説明】
【０１０９】
【図１】本発明の一実施の形態を示す育毛装置を示すブロック図である。
【図２】（Ａ）及び（Ｂ）は図１のプローブホルダ６を示す側面図及び先端の端面図である。
【図３】（Ａ）及び（Ｂ）は図１の育毛プローブ８を示す側面図及び縦断面図である。
【図４】（Ａ）はプローブホルダ６を示す縦断面図、（Ｂ）はキャップ部材７を介して接続部材４２に育毛プローブ８を挿入した状態の縦断面図、（Ｃ）はキャップ部材７を接続部材４２に締め込んだ状態を示す縦断面図である。
【図５】育毛施術処理手順を示すフローチャートである。
【図６】育毛施術処理手順を示すフローチャートである。
【図７】（Ａ）及び（Ｂ）は育毛プローブ８からの液剤の噴射処理及びイオン浸透処理の説明に供する略線図である。
【図８】（Ａ１）及び（Ａ２）並びに（Ｂ１）及び（Ｂ２）はイオン浸透電流の通電並びに動作スイッチ３６の動作の説明に供する信号波形図である。
【図９】被施術部位の説明に供する略線図である。
【図１０】育毛施術処理手順の第２の実施の形態を示すフローチャートである。
【図１１】被施術部位の説明に供する略線図である
【図１２】（Ａ１）及び（Ａ２）並びに（Ｂ１）及び（Ｂ２）はイオン浸透電流の通電並びに動作スイッチ３６の動作の説明に供する信号波形図である。
【符号の説明】
【０１１０】
１……育毛装置、２……育毛装置本体、３……育毛プローブ部接続端子、４……可撓性接続管、４Ａ……液剤搬送チューブ、４Ｂ……ケーブル、１１……液剤搬送ポンプ、１２……液剤タンク接続端子、１３……液剤タンク、５……育毛プローブ部、６……プローブホルダ、７……キャップ部材、８……育毛プローブ、２１……液剤搬送通路、２２……噴射口部材、２５……イオン浸透用電源、２７……対極導子接続端子、２８……対極導子、２９……ケーブル、３４……制御信号端子、３５……中央制御ユニット、３６……動作スイッチ、３７……育毛施術条件入力部、３７Ａ……通電電流値手段、３７Ｂ……通電極性手段、３７Ｃ……通電時間手段、３７Ｄ……液剤ショット数手段、４１……ホルダ本体、４１Ｘ……内部空間、４２……接続部材、４３……ねじ部、４４……後端部、４５……液剤通路、４６……キャップ締付ねじ、４７……プローブ取付筒体部、４８……割り溝、５０……毛、５１……毛孔、５２……頭皮、５３……液剤、５４……毛根。
【図１】
2009233109.tif 000003
【図２】
2009233109.tif 000004
【図３】
2009233109.tif 000005
【図４】
2009233109.tif 000006
【図５】
2009233109.tif 000007
【図６】
2009233109.tif 000008
【図７】
2009233109.tif 000009
【図８】
2009233109.tif 000010
【図９】
2009233109.tif 000011
【図１０】
2009233109.tif 000012
【図１１】
2009233109.tif 000013
【図１２】
2009233109.tif 000014